(57)【要約】【課題】スキーポールの操作がし易いスキーポール用グリップ及びスキーポールを提供する。【解決手段】少なくとも使用者の親指及び人差し指と係合するための上部係合部７、８と、人体連結具を係止するための係止部５とを有する上部把握部２と、少なくとも使用者の小指と係合するための下部係合部１０と、スキーポール３０のシャフト３１を挿入するための挿入開口１８とを有する下部把握部３と、を備え、上部把握部２を、挿入開口１８の中心から伸びる下部把握部３の中心軸線Ａに対して、上部把握部２の中心軸線Ｂを係止部５が設けられている側と反対側にずらして配置する。【選択図】図１
2018079019.tif 000002
【特許請求の範囲】
【請求項１】
少なくとも使用者の親指及び人差し指と係合するための上部係合部と、人体連結具を係止するための係止部とを有する上部把握部と、少なくとも使用者の小指と係合するための下部係合部と、スキーポールのシャフトを挿入するための挿入開口とを有する下部把握部と、を備え、前記上部把握部と前記下部把握部とが連結して構成されたスキーポール用グリップであって、
前記上部把握部は、前記挿入開口の中心から伸びる前記下部把握部の中心軸線に対して、前記上部把握部の中心軸線を前記係止部が設けられている側と反対側にずらして配置されている
スキーポール用グリップ。
【請求項２】
前記係止部が設けられている側において、前記下部把握部の方が前記上部把握部よりも突出し、前記係止部が設けられている側と反対側において、前記上部把握部の方が前記下部把握部よりも突出している
請求項１に記載のスキーポール用グリップ。
【請求項３】
前記下部把握部の径が、前記上部把握部の径よりも小さい
請求項１又は２に記載のスキーポール用グリップ。
【請求項４】
前記下部把握部の容積が、前記上部把握部の容積よりも小さい
請求項１又は２に記載のスキーポール用グリップ。
【請求項５】
前記上部係合部の人差し指と係合する人差し指係合部を前記係止部が設けられている側と反対側に設けた
請求項１〜４のいずれか１項に記載のスキーポール用グリップ。
【請求項６】
前記上部係合部の親指と係合する親指係合部を前記係止部が設けられている側に設けた
請求項１〜４のいずれか１項に記載のスキーポール用グリップ。
【請求項７】
前記下部把握部の小指と係合する小指係合部を、前記下部把握部に連結された上部把握部の係止部が設けられている側と反対側に設けた
請求項１〜４のいずれか１項に記載のスキーポール用グリップ。
【請求項８】
前記下部把握部の前記小指係合部が設けられている側と反対側に、前記下部把握部の径を大きくするための肉厚部を設けた
請求項７に記載のスキーポール用グリップ。
【請求項９】
前記肉厚部は、表面が湾曲するように成形されている
請求項８に記載のスキーポール用グリップ。
【請求項１０】
シャフトと、
前記シャフトに装着されたグリップを備えたスキーポールであって、
前記グリップは、
少なくとも使用者の親指及び人差し指と係合するための上部係合部と、人体連結具を係止するための係止部とを有する上部把握部と、少なくとも使用者の小指と係合するための下部係合部と、スキーポールのシャフトを挿入するための挿入開口とを有する下部把握部と、を備え、
前記上部把握部と前記下部把握部とが連結し、前記上部把握部は前記挿入開口の中心から伸びる前記下部把握部の中心軸線に対して、前記上部把握部の中心軸線を前記係止部が設けられている側と反対側にずらして配置されている
スキーポール。
【発明の詳細な説明】
【技術分野】
【０００１】
本発明は、スキーに使用するスキーポール用グリップ及びスキーポールに関する。
【背景技術】
【０００２】
従来、スキーに使用するスキーポール用グリップは、軸方向においてグリップ径の大きさが略同じものが使用されている（例えば、特許文献１）。
【先行技術文献】
【特許文献】
【０００３】
【特許文献１】特開平８−２４３２０６号公報
【発明の概要】
【発明が解決しようとする課題】
【０００４】
一般に、人間は指毎に力の入り方が異なり、例えば、薬指と小指の方が、人差し指及び中指よりも、グリップを握る力が強いと言われている。
【０００５】
そのため、従来使用されているグリップでは、人差し指及び中指にとっては、スキーポールの操作がし易い最適の径であっても、薬指及び小指にとっては、径が太すぎてスキーポールの操作がしにくい場合があった。
【０００６】
本発明はこのような点に鑑みてなされたもので、スキーポールの操作がし易いスキーポール用グリップ及びスキーポールを提供することを目的とする。
【課題を解決するための手段】
【０００７】
本発明は、上記の目的を達成するためになされたものであり、この目的は、下記（１）〜（１０）の発明によって達成される。
【０００８】
（１）上記の目的を達成するため本発明のスキーポール用グリップは、少なくとも使用者の親指及び人差し指と係合するための上部係合部と、人体連結具を係止するための係止部とを有する上部把握部と、少なくとも使用者の小指と係合するための下部係合部と、スキーポールのシャフトを挿入するための挿入開口とを有する下部把握部と、を備え、上部把握部と下部把握部とが連結して構成され、上部把握部は、挿入開口の中心から伸びる下部把握部の中心軸線に対して、上部把握部の中心軸線を係止部が設けられている側と反対側にずらして配置されている構成である。
【０００９】
上記の構成により、使用者の指から適切な力をグリップに伝えることができるので、スキーポールの操作を容易に行うことができる。
【００１０】
（２）係止部が設けられている側において、下部把握部の方が上部把握部よりも突出し、係止部が設けられている側と反対側において、上部把握部の方が下部把握部よりも突出している上記（１）に記載のスキーポール用グリップ。
【００１１】
（３）下部把握部の径が、上部把握部の径よりも小さい上記（１）又は（２）に記載のスキーポール用グリップ。
【００１２】
（４）下部把握部の容積が、上部把握部の容積よりも小さい上記（１）又は（２）に記載のスキーポール用グリップ。
【００１３】
（５）上部係合部の人差し指と係合する人差し指係合部を係止部が設けられている側と反対側に設けた上記（１）〜（４）いずれかに記載のスキーポール用グリップ。
【００１４】
（６）上部係合部の親指と係合する親指係合部を係止部が設けられている側に設けた上記（１）〜（４）のいずれかに記載のスキーポール用グリップ。
【００１５】
（７）下部把握部の小指と係合する小指係合部を、下部把握部に連結された上部把握部の係止部が設けられている側と反対側に設けた上記（１）〜（４）のいずれかに記載のスキーポール用グリップ。
【００１６】
（８）下部把握部の小指係合部が設けられている側と反対側に、下部把握部の径を大きくするための肉厚部を設けた上記（１）〜（４）のいずれかに記載のスキーポール用グリップ。
【００１７】
（９）肉厚部は、表面が湾曲するように成形されている上記（８）に記載のスキーポール用グリップ。
【００１８】
（１０）シャフトと、シャフトに装着されたグリップを備えたスキーポールであって、グリップは、少なくとも使用者の親指及び人差し指と係合するための上部係合部と、人体連結具を係止するための係止部とを有する上部把握部と、少なくとも使用者の小指と係合するための下部係合部と、スキーポールのシャフトを挿入するための挿入開口とを有する下部把握部と、を備え、上部把握部と下部把握部とが連結し、上部把握部は挿入開口の中心から伸びる下部把握部の中心軸線に対して、上部把握部の中心軸線を係止部が設けられている側と反対側にずらして配置されている構成である。
【発明の効果】
【００１９】
本発明のスキーポール用グリップ及びスキーポールによれば、使用者の指の種類に応じて、最適な力をグリップに伝えることできる。これにより、スキーポールの操作性を向上させることができる。
【図面の簡単な説明】
【００２０】
【図１】本発明の一実施形態によるスキーポール用グリップの全体構成図である。
【図２】本発明の一実施形態によるスキーポールの全体構成図である。
【図３】本発明の一実施形態によるグリップの形状と従来のグリップの形状を比較した図である。
【図４】本発明の一実施形態によるグリップを把握した使用者の指の状態を示す説明図である。
【発明を実施するための形態】
【００２１】
以下、本発明のスキーポール用グリップ及びスキーポールの実施の形態例（以下、「本例」という。）について、図面を参照して説明する。なお、本明細書及び図面において、実質的に同一の機能又は構成を有する構成要素については、同一の符号を付することにより重複する説明を省略する。
【００２２】
図１は、本例のスキーポール用グリップの全体構成図である。
図１に示すように、本例のスキーポール用グリップ（以下、グリップという。）１は、上部把握部２と下部把握部３とを連結して構成されている。グリップ１は、樹脂部材で構成されている。
【００２３】
上部把握部２の上端部には、滑り止めのための鍔部４が設けられている。また、鍔部４の近傍には、使用者とグリップ１とを一時的に連結するストラップ等の人体連結具１４を係止するための係止部５が設けられている。係止部５は、グリップ１を把握する使用者側に設けられている。
【００２４】
上部把握部２の係止部５と反対側には、２つの突起６ａ、６ｂが等間隔に設けられている。上側に配置された突起６ａと鍔部４との間には、グリップ１を把握する使用者の人差し指が係合する人差し指係合部７が形成されている。また、上側に配置された突起６ａと下側に配置された突起６ｂの間には、グリップ１を把握する使用者の中指が係合する中指係合部８が形成されている。
【００２５】
係止部５が設けられている側であって、上部係合部としての人差し指係合部７及び中指係合部８と対向する位置には、グリップ１を把握する使用者の親指が係合する親指係合部９が形成されている。
【００２６】
下部把握部３の下端部には、グリップ１をスキーポール３０に装着する際に、シャフト３１を挿入するためのシャフト挿入孔１７が設けられている。シャフト挿入孔１７は、挿入開口１８を有し、下部把握部３の軸方向に沿って形成されている。
【００２７】
下部把握部３の係止部５が設けられている側と反対側には、グリップ１を把握する使用者の小指が係合する下部係合部としての小指係合部１０が形成されている。また、小指係合部１０の表面には、滑り止めのための溝部１１が形成されている。なお、通常、使用者は、薬指も小指係合部１０に係合させた状態でグリップ１を把握する。
【００２８】
下部把握部３の係止部５が設けられている側であって、小指係合部１０と対向する位置には、表面が湾曲するように形成された肉厚部１３が設けられている。肉厚部１３を設けることにより下部把握部３の径が太くなり、使用者は、手のひらを湾曲した肉厚部１３の稜線とフィットさせることにより、グリップ１をしっかりと把握することができる。
【００２９】
また、係止部５が設けられている側においては、下部把握部３に肉厚部１３を設けたことにより、下部把握部３の方が上部把握部２よりも使用者側に突出しており、肉厚部１３と鍔部４との間に親指係合部９が形成される。
【００３０】
なお、グリップ１を使用する使用者の手の大きさによっては、薬指を中指係合部８に係合させてグリップ１を把握する場合もあり、中指を小指係合部１０に係合させて把握する場合もあり得る。
【００３１】
また、本例では、図１に示すように、下部把握部３の径が上部把握部２の径よりも小さくなるように構成されるとともに、下部把握部３の容積が上部把握部２の容積よりも小さくなるように構成されている。
【００３２】
また、上部把握部２は、上部把握部２の中心軸線Ｂが、シャフト挿入孔１７の挿入開口１８の中心から伸びる下部把握部３の中心軸線Ａに対して、係止部５が設けられている側と反対側へずれるように配置されている。これにより、係止部５が設けられている側と反対側においては、上部把握部２の方が下部把握部３よりも使用者と反対側に突出し、係止部５が設けられている側と反対側であって上部把握部２と下部把握部３の連結部分に段差２０が形成される。また、段差２０の下方には下部空間３５が形成される。
【００３３】
本例のグリップ１によれば、使用者は、下部空間３５において、グリップ１を握る力が強い薬指５４及び小指５５を自由に移動させ、不要な力を逃がすことができる。これにより、必要以上の力がグリップ１へ伝わることを防ぎ、グリップ１が装着されているスキーポール３０の操作性を向上させることができる。
【００３４】
また、段差２０を設けることにより、複雑なスキーポール３０の操作が発生した場合であっても、小指係合部１０に係合している使用者の小指や薬指が、中指係合部８に移動することを防止できる。
【００３５】
図２は、本例のグリップ１を装着したスキーポール３０の全体図である。
図２に示すように、本例のスキーポール３０は、シャフト３１とシャフト３１に装着されたグリップ１とで構成されている。グリップ１には、係止部５に係止されたストラップ１４が装着されている。シャフト３１の先端には石突き部３２が設けられており、シャフト３１の先端近傍にはリング状のバスケット３３が装着されている。
【００３６】
図３は、本例のグリップ１の形状と従来のグリップ１００の形状を比較した図である。
図３の実線で表したものが本例のグリップ１であり、２点鎖線で表したものが従来のグリップ１００である。
【００３７】
図３から明らかなように、従来のグリップ１００に比べ、本例のグリップ１の上部把握部２は、係止部５が設けられている側と反対側において使用者と反対側に突出するように形成されている。また、本例のグリップ１の上部把握部２は、従来のグリップ１００に比べ、係止部５が設けられている側において使用者と反対側に凹むように形成されている。すなわち、本例のグリップ１の上部把握部２は、従来のグリップ１００に比べて、使用者と反対側（前方）へずれるように構成されている。
【００３８】
また、本例のグリップ１の下部把握部３は、従来のグリップ１００に比べ、係止部５が設けられている側と反対側において使用者側に凹むように形成されている。また、従来のグリップ１００に比べ、下部把握部３は、係止部５が設けられている側において使用者側へやや突出するように形成されている。すなわち、本例のグリップ１の下部把握部３は、従来のグリップ１００に比べて、使用者側（後方）へずれるように構成されている。
【００３９】
このように、本例のグリップ１は、上部把握部２と下部把握部３とをそれぞれ反対方向へずらして構成しているので、係止部５が設けられている側と反対側に形成される下部空間３５の容積を大きくすることができる。
【００４０】
また、本例のグリップ１は、上部把握部２と下部把握部３とをそれぞれ反対方向へずらして構成しているので、係止部５が設けられている側の上部位置に形成される使用者の親指を納めることができる上部空間３６の容積を大きくすることができる。
【００４１】
図４は、本例のグリップ１を把握する際の使用者の指の状態を示す説明図である。
図４に示すように、グリップ１を把握している使用者の親指５１は、上部空間３６に収まった状態で親指係合部９に係合されている。また、グリップ１を把握している使用者の薬指５４及び小指５５は、下部空間３５に収まった状態で小指係合部１０に係合されている。なお、使用者の人差し指５２は人差し指係合部７に係合し、使用者の中指５３は中指係合部８に係合されている。
【００４２】
このように、本例のグリップ１においては、グリップ１を握る力が弱い人差し指５２及び中指５３は径の太い上部把握部２と係合し、グリップ１を握る力が強い薬指５４及び小指５５は径の細い下部把握部３と係合する。
【００４３】
これにより、使用者は、グリップ１を握る力が強い薬指５４及び小指５５が下部空間３５を自由に移動できる状態でグリップ１を把握するので、余分な力を逃がすことができる。また、グリップ１を握る力が強い親指５１が上部空間３６を自由に移動できる状態でグリップ１を把握するので、余分な力を逃がすことができる。これにより、必要以上の力がグリップ１へ伝わることを防止して、スキーポール３０の操作性を向上させることができる。特に、コブの向こう側にスキーポール３０の先端を突く動作が連続するモーグル競技においては、スキーポール３０を前に振り出す際の振り幅を大きくすることができる。
【００４４】
また、グリップ１を握る力が弱い人差し指５２及び中指５３は、グリップ１の径の太い上部把握部２を把握することができるので、グリップ１に必要な力を伝えることができ、スキーポール３０の操作性を維持することができる。特に、モーグル競技においてコブを通過する際にスキーポール３０の先端を簡単に持ち上げることができる。
【００４５】
以上説明したように、本例のグリップ１及びスキーポール３０によれば、使用者の指から適切な力を伝えることにより、グリップ１に伝わる力の状態を均等に保つことができるので、真っ直ぐにスキーポール３０を振り出すことが容易となり、スキーポール３０の操作性を向上させることができる。
【００４６】
なお、本発明のグリップ及びスキーポールは、上述の各形態に限定されるものではなく、その他材料、構成等において本発明の構成を逸脱しない範囲において種々の変形、変更が可能であることはいうまでもない。
【符号の説明】
【００４７】
１・・・グリップ、２・・・上部把握部、３・・・下部把握部、４・・・鍔部、５・・・係止部、６・・・突起、７・・・人差し指係合部、８・・・中指係合部、９・・・親指係合部、１０・・・小指係合部、１３・・・肉厚部、１７・・・シャフト挿入孔、１８・・・挿入開口、２０・・・段差、３０・・・スキーポール、３１・・・シャフト、１００・・・従来グリップ
【図１】
2018079019.tif 000003
【図２】
2018079019.tif 000004
【図３】
2018079019.tif 000005
【図４】
2018079019.tif 000006